(57)【要約】  デバイスディスカバリー手順で、第２デバイスのコンテンツ保護性能に係る情報を受信するステップと、受信されたコンテンツ保護性能に係る情報に基づいて、第２デバイスとの連結設定手順を行うか否かを決定するステップと、を含む第１デバイスと第２デバイスとの間に、ワイファイダイレクト方式を使用して通信を行う方法を提供する。
2014505408.tif 000002
【特許請求の範囲】
【請求項１】
第１デバイスと第２デバイスとの間に、ワイファイダイレクト方式を使用して通信を行う方法において、
デバイスディスカバリー手順で、前記第２デバイスのコンテンツ保護性能に係る情報を受信するステップと、
前記受信されたコンテンツ保護性能に係る情報に基づいて、前記第２デバイスとの連結設定手順を行うか否かを決定するステップと、を含むことを特徴とする通信方法。
【請求項２】
前記第２デバイスのコンテンツ保護性能に係る情報を受信するステップは、
前記コンテンツ保護性能に係る情報を含むプローブ応答メッセージを受信することを特徴とする請求項１に記載の通信方法。
【請求項３】
前記第１デバイスのコンテンツ保護性能に係る情報を、前記第２デバイスに送信するステップをさらに含み、
前記第２デバイスのコンテンツ保護性能に係る情報は、前記送信された第１デバイスのコンテンツ保護性能に係る情報に対する応答として受信されることを特徴とする請求項１に記載の通信方法。
【請求項４】
前記第１デバイスのコンテンツ保護性能に係る情報を送信するステップは、
前記コンテンツ保護性能に係る情報を含むプローブ要請メッセージを送信することを特徴とする請求項３に記載の通信方法。
【請求項５】
前記コンテンツ保護性能に係る情報は、ＷＦＤ  ＩＥ(Wi-Fi  Display  Information  Element)に含まれることを特徴とする請求項１に記載の通信方法。
【請求項６】
前記コンテンツ保護性能に係る情報は、ＷＦＤ  ＩＥ内のＷＦＤデバイス情報フィールドに含まれることを特徴とする請求項１に記載の通信方法。
【請求項７】
前記コンテンツ保護性能に係る情報は、ＨＤＣＰ  ２．０(High-Definition  Content  Protection  2.0)を支援するか否かを表すことを特徴とする請求項１に記載の通信方法。
【請求項８】
ワイファイダイレクト方式を使用して通信を行うデバイスにおいて、
デバイスディスカバリー手順で、相手デバイスのコンテンツ保護性能に係る情報を受信する受信部と、
前記受信されたコンテンツ保護性能に係る情報に基づいて、前記相手デバイスとの連結設定手順を行うか否かを決定する決定部と、を備えることを特徴とする通信デバイス。
【請求項９】
前記相手デバイスのコンテンツ保護性能に係る情報を受信する受信部は、
前記コンテンツ保護性能に係る情報を含むプローブ応答メッセージを受信することを特徴とする請求項８に記載の通信デバイス。
【請求項１０】
前記デバイスのコンテンツ保護性能に係る情報を、前記相手デバイスに送信する送信部をさらに備え、
前記相手デバイスのコンテンツ保護性能に係る情報は、前記送信されたデバイスのコンテンツ保護性能に係る情報に対する応答として受信されることを特徴とする請求項８に記載の通信デバイス。
【請求項１１】
前記デバイスのコンテンツ保護性能に係る情報を送信する送信部は、
前記コンテンツ保護性能に係る情報を含むプローブ要請メッセージを送信することを特徴とする請求項１０に記載の通信デバイス。
【請求項１２】
前記コンテンツ保護性能に係る情報は、ＷＦＤ  ＩＥ(Wi-Fi  Display  Information  Element)に含まれることを特徴とする請求項８に記載の通信デバイス。
【請求項１３】
前記コンテンツ保護性能に係る情報は、ＷＦＤ  ＩＥ内のＷＦＤデバイス情報フィールドに含まれることを特徴とする請求項８に記載の通信デバイス。
【請求項１４】
前記コンテンツ保護性能に係る情報は、ＨＤＣＰ  ２．０(High-Definition  Content  Protection  2.0)を支援するか否かを表すことを特徴とする請求項８に記載の通信デバイス。
【請求項１５】
請求項１ないし７のうちいずれか一項に記載の方法を具現するためのプログラムを記録したコンピュータで読み取り可能な記録媒体。
【発明の詳細な説明】
【技術分野】
【０００１】
本発明は、ワイファイダイレクト通信方式におけるコンテンツ保護のための方法及びそのデバイスに関する。
【背景技術】
【０００２】
ワイファイダイレクト通信方式は、既存のワイファイ方式とは異なり、ワイファイデバイスが、ホームネットワーク、オフィスネットワーク及びホットスポットネットワークに参与しないとしても、互いにピアツーピア(peer-to-peer)で連結されるネットワークであって、ワイファイ連合により提案された。
【０００３】
図１は、従来の技術によるワイファイダイレクト通信方式を説明するための概念図である。図１において、ＤＶＤプレーヤー１０１は、ディスプレイデバイスであるＴＶ１  １０２またはＴＶ２  １０３へ、音楽、写真及び動画のようなコンテンツ１０４を伝送するために、ワイファイダイレクト方式を使用する。
【０００４】
ＤＶＤプレーヤー１０１は、ＭＰ３プレーヤー、ＰＣ及び単純記録媒体のように、コンテンツを保存している他のデバイスであってもよい。
【０００５】
ＴＶ１  １０２またはＴＶ２  １０３は、モニタ及びスピーカのように、ユーザにコンテンツをディスプレイする他のデバイスであってもよい。
【０００６】
音楽、写真及び動画のようなコンテンツ１０４は、著作権により保護されるコンテンツに該当する。
【０００７】
既存のワイファイダイレクト（Ｐ２Ｐ）方式は、ディスプレイデバイスを考慮して提案された標準ではなく、デバイス間の連結性を中心に提案された標準である。したがって、連結設定の前にディスプレイするデバイスがコンテンツ保護性能を支援するか否かを把握することができなかった。
【０００８】
ワイファイダイレクト方式では、図１のＴＶ１  １０２またはＴＶ２  １０３と連結設定を行う前には、各ＴＶのコンテンツ保護性能を支援するか否かが分からない。ＴＶ１  １０２は、コンテンツ保護性能を支援しないデバイスであり、ＴＶ２  １０３は、コンテンツ保護性能を支援するデバイスであると仮定する時、ワイファイダイレクト方式を通じて、ＤＶＤプレーヤー１０１とＴＶ１  １０２とを連結し、著作権により保護されるコンテンツ１０４を再生する場合、ＴＶ１  １０２で当該コンテンツを再生できないという警告または知らせが発生する。したがって、ＤＶＤプレーヤー１０１を通じて、ユーザがコンテンツ１０４を再生することを所望する場合、ＤＶＤプレーヤー１０１とＴＶ２  １０３とのデバイスの連結過程を待機した後、それを再生しなければならない都合が発生する。
【０００９】
また、ＴＶ１  １０２は、コンテンツ保護性能が支援されず、当該コンテンツ１０４を再生できないが、ＤＶＤプレーヤー１０１との連結設定手順を行うために、不要な電力を消耗するという問題点が発生する。
【発明の概要】
【発明が解決しようとする課題】
【００１０】
従来のワイファイダイレクト通信方式を使用して、ディスプレイデバイスでコンテンツを再生する場合、連結設定手順の前に、ディスプレイデバイスのコンテンツ保護能力と関連した情報を交換していないので、ユーザがデバイス間の連結設定手順の後にコンテンツを再生できない場合が発生する。
【課題を解決するための手段】
【００１１】
本発明では、効率的なディスプレイデバイス間のワイファイダイレクト通信を行うための通信方式を提供するために、ディスプレイデバイス間のワイファイダイレクト方式によって通信を行う時、周辺デバイスを検索するデバイスディスカバリー手順で、当該デバイスがコンテンツ保護性能を支援するか否かに係る情報を受信可能にする。
【発明の効果】
【００１２】
本発明によれば、連結設定手順の以前ステップであるデバイスディスカバリー手順で、各デバイス間のコンテンツ保護性能に係る情報を支援するか否かについての情報を交換し、これによって、連結設定手順を行うか否かを決定することによって、連結設定手順の後にデバイスがコンテンツ保護性能を支援せず、他のデバイスと再び連結設定手順を行わなければならない都合を防止し、コンテンツ保護性能を支援しないデバイスがコンテンツを再生しないとしても、連結設定手順を行うために浪費する電力を節約することができる。
【図面の簡単な説明】
【００１３】
【図１】従来の技術によるワイファイダイレクト通信方式を説明するための概念図である。
【図２】本発明の一実施形態による第１デバイスのデバイスディスカバリー手順を示すフローチャートである。
【図３】本発明の他の実施形態による第１デバイスのデバイスディスカバリー手順を示すフローチャートである。
【図４】本発明の一実施形態による第１デバイスと第２デバイスの構造を示すブロック図である。
【図５】本発明の一実施形態によるＷＦＤ(Wi-Fi  Display)ＩＥ(Information  Element)を示す図面である。
【図６】本発明の一実施形態によるＷＦＤサブエレメントの一般的なフォーマットを示す図面である。
【図７】本発明の一実施形態によるＷＦＤサブエレメントＩＤを説明するための図面である。
【図８】本発明の一実施形態によるＷＦＤデバイス情報サブエレメントを説明するための図面である。
【図９】本発明の一実施形態によるＷＦＤデバイス情報フィールドを説明するための図面である。
【図１０】本発明の一実施形態によるＷＦＤ通信の信号のフローチャートである。
【発明を実施するための形態】
【００１４】
前記目的を達成するための本発明の一実施形態は、第１デバイスと第２デバイスとの間に、ワイファイダイレクト方式を使用して通信を行う方法において、デバイスディスカバリー手順で、前記第２デバイスのコンテンツ保護性能に係る情報を受信するステップと、前記受信されたコンテンツ保護性能に係る情報に基づいて、第２デバイスとの連結設定手順を行うか否かを決定するステップと、を含む。
【００１５】
前記第２デバイスのコンテンツ保護性能に係る情報を受信するステップは、前記コンテンツ保護性能に係る情報を含むプローブ応答メッセージを受信することが望ましい。
【００１６】
前記第１デバイスのコンテンツ保護性能に係る情報を、前記第２デバイスに送信するステップをさらに含み、前記第２デバイスのコンテンツ保護性能に係る情報は、前記送信された第１デバイスのコンテンツ保護性能に係る情報に対する応答として受信されることが望ましい。
【００１７】
前記第１デバイスのコンテンツ保護性能に係る情報を送信するステップは、前記コンテンツ保護性能に係る情報を含むプローブ要請メッセージを送信することが望ましい。
【００１８】
前記コンテンツ保護性能に係る情報は、ＷＦＤ  ＩＥ(Wi-Fi  Display  Information  Element)に含まれることが望ましい。前記コンテンツ保護性能に係る情報は、ＷＦＤ  ＩＥ内のＷＦＤデバイス情報フィールドに含まれることが望ましい。前記コンテンツ保護性能に係る情報は、ＨＤＣＰ  ２．０(High-Definition  Content  Protection  2.0)を支援するか否かを表すことが望ましい。
【００１９】
本発明の一実施形態は、ワイファイダイレクト方式を使用して通信を行うデバイスにおいて、デバイスディスカバリー手順で、相手デバイスのコンテンツ保護性能に係る情報を受信する受信部と、前記受信されたコンテンツ保護性能に係る情報に基づいて、相手デバイスとの連結設定手順を行うか否かを決定する決定部と、を備える。
【００２０】
前記相手デバイスのコンテンツ保護性能に係る情報を受信する受信部は、前記コンテンツ保護性能に係る情報を含むプローブ応答メッセージを受信することが望ましい。
【００２１】
前記デバイスのコンテンツ保護性能に係る情報を、前記相手デバイスに送信する送信部をさらに備え、前記相手デバイスのコンテンツ保護性能に係る情報は、前記送信されたデバイスのコンテンツ保護性能に係る情報に対する応答として受信されることが望ましい。
【００２２】
前記デバイスのコンテンツ保護性能に係る情報を送信する送信部は、前記コンテンツ保護性能に係る情報を含むプローブ要請メッセージを送信することが望ましい。
【００２３】
前記コンテンツ保護性能に係る情報は、ＷＦＤ  ＩＥに含まれることが望ましい。前記コンテンツ保護性能に係る情報は、ＷＦＤ  ＩＥ内のＷＦＤデバイス情報フィールドに含まれることが望ましい。前記コンテンツ保護性能に係る情報は、ＨＤＣＰ  ２．０を支援するか否かを表すことが望ましい。
【００２４】
以下、添付された図面を参照して、本発明による望ましい実施形態を詳細に説明する。図面において、同じ参照符号は、同じ構成要素を指し、図面上で、各構成要素の大きさは、説明の明瞭性のために誇張されている。
【００２５】
図２は、本発明の一実施形態による第１デバイスのデバイスディスカバリー手順を示すフローチャートである。
【００２６】
デバイスディスカバリー手順とは、通信のために周辺デバイスを見つけるための手順であって、デバイスが連結を行うために、デバイスの周囲に存在する機器のうち、ワイファイダイレクト方式を支援するデバイスが存在するか否かを検索する手順である。また、ワイファイダイレクト方式を支援するデバイスが存在する場合、各デバイスについての情報を受信することもある。
【００２７】
しかし、既存のワイファイダイレクト方式は、ディスプレイデバイスのみを考慮して提案された標準ではないので、デバイスディスカバリー手順で、コンテンツを適切に保護するための手順が存在しない。
【００２８】
ステップ２０１で、第１デバイスは、デバイスディスカバリー手順で、第２デバイスから第２デバイスのコンテンツ保護性能に係る情報を受信する。第２デバイスから受信される第２デバイスのコンテンツ保護性能に係る情報は、プローブ応答メッセージに含まれる。プローブ応答メッセージは、ワイファイダイレクト通信方式のデバイスディスカバリー手順で、デバイス情報を受信するメッセージである。
【００２９】
具体的に、コンテンツ保護性能に係る情報は、ＷＦＤ  ＩＥ(Wi-Fi  Display  Information  Element)に含まれる。ＷＦＤ  ＩＥは、図５で詳細に説明する。
【００３０】
さらに、コンテンツ保護性能に係る情報は、ＷＦＤ  ＩＥ内のＷＦＤデバイス情報フィールドに含まれる。ＷＦＤデバイス情報フィールドは、図８で詳細に説明する。
【００３１】
コンテンツ保護性能に係る情報は、第２デバイスがＨＤＣＰ  ２．０(High  Definition  Content  Protection  2.0)を支援するか否かを表す情報である。
【００３２】
参考までに、ＨＤＣＰは、映像再生機器からディスプレイデバイスにデジタル信号を送受信する経路を暗号化して、コンテンツが不正に複写されることを防止するための著作権保護技術の一つであって、コンテンツの統合性を保護するために設計された規格である。ＨＤＣＰは、公知の規格であるので、詳細な説明は省略する。
【００３３】
ステップ２０２では、ステップ２０１で受信された第２デバイスのコンテンツ保護性能に係る情報に基づいて、第２デバイスとの連結設定手順を行うか否かを決定する。
【００３４】
第２デバイスから受信された情報によって、第２デバイスがコンテンツ保護性能を支援するか否かを判断し、第２デバイスとの連結設定手順を行うか否かを決定する。連結設定手順を行うか否かを決定する方法は、多様な方式により行われる。一実施形態として、複数のワイファイダイレクト通信方式を支援するデバイスが存在する場合、複数のデバイスがコンテンツ保護性能を支援するか否かを表示して、どのデバイスと連結設定を行うかをユーザから入力される。
【００３５】
他の実施形態として、第１デバイスに設定された優先順位によって、連結設定を自動的に行う。
【００３６】
ワイファイダイレクト通信方式を支援するデバイスが一つしか存在しない場合、連結設定実行の前に、当該デバイスのコンテンツ保護性能を支援するか否かを表示する。
【００３７】
連結設定手順の以前ステップであるデバイスディスカバリー手順で、各デバイス間のコンテンツ保護性能に係る情報を支援するかについての情報を交換し、これによって、連結設定手順を行うか否かを決定することによって、連結設定手順の後にデバイスがコンテンツ保護性能を支援せず、他のデバイスと再び連結設定手順を行わなければならない都合を防止し、コンテンツ保護性能を支援しないデバイスがコンテンツを再生しないとしても、連結設定手順を行うために浪費する電力を節約することができる。
【００３８】
図３は、本発明の他の実施形態による第１デバイスのデバイスディスカバリー手順を示すフローチャートである。
【００３９】
ワイファイダイレクト方式では、連結設定手順の後に、どのデバイスがＡＰ(Access  Point)の役割を行い、どのデバイスがステーションの役割を行うかが決定されるので、デバイスディスカバリー手順では、各デバイスの役割が決定されていない。したがって、連結設定手順の後に、第２デバイスは、第１デバイスの情報が必要であるので、第２デバイスも第１デバイスの情報を受信する。
【００４０】
ステップ３０１で、第１デバイスは、第２デバイスに、第１デバイスのコンテンツ保護性能に係る情報を送信する。第１デバイスが第２デバイスに送信するコンテンツ保護性能に係る情報は、プローブ要請メッセージに含まれる。
【００４１】
プローブ要請メッセージは、ワイファイダイレクト通信方式のデバイスディスカバリー手順で、デバイス情報を送信するメッセージである。
【００４２】
具体的に、コンテンツ保護性能に係る情報は、ＷＦＤ  ＩＥに含まれる。さらに、コンテンツ保護性能に係る情報は、ＷＦＤ  ＩＥ内のＷＦＤデバイス情報フィールドに含まれる。コンテンツ保護性能に係る情報は、ＨＤＣＰ  ２．０を支援するか否かを表す情報である。
【００４３】
ステップ３０２では、図２のステップ２０１と同様に、第１デバイスが第２デバイスからコンテンツ保護性能に係る情報を受信する。
【００４４】
また、ステップ３０３では、図２のステップ２０２と同様に、コンテンツ保護性能に係る情報に基づいて、第２デバイスとの連結設定手順を行うか否かを決定する。連結設定手順を行うか否かを決定する方式は、図２で説明したように多様な方式で可能である。
【００４５】
また、第２デバイスでも、第１デバイスから受信されたコンテンツ保護性能に係る情報に基づいて、第１デバイスとの連結設定手順を行うか否かを決定する。
【００４６】
図４は、本発明の一実施形態による第１デバイスと第２デバイスの構造を示すブロック図である。第１デバイス４１０の送信部４１１は、第１デバイスのコンテンツ保護性能に係る情報を、第２デバイスに送信する。図３のように、第１デバイス４１０のコンテンツ保護性能に係る情報は、プローブ要請メッセージ、ＷＦＤ  ＩＥ及びＷＦＤ  ＩＥのＷＦＤデバイス情報フィールドに含まれる。
【００４７】
第１デバイス４１０の受信部４１２は、第２デバイスから、第２デバイス４２０のコンテンツ保護性能に係る情報を受信する。第１デバイス４１０の決定部４１３は、受信部４１２が第２デバイス４２０から受信した第２デバイス４２０のコンテンツ保護性能に係る情報に基づいて、第２デバイス４２０と連結設定手順を行うか否かを決定する。
【００４８】
第２デバイス４２０の送信部は、第１デバイスに、第２デバイスのコンテンツ保護性能に係る情報を送信する。第２デバイス４２０の受信部４２１は、第１デバイス４１０から、第１デバイス４１０のコンテンツ保護性能に係る情報を受信する。
【００４９】
第２デバイス４２０の決定部４２３は、第１デバイス４１０から受信した第１デバイス４１０のコンテンツ保護性能に係る情報に基づいて、第１デバイス４１０と連結設定手順を行うか否かを決定する。
【００５０】
図５は、本発明の一実施形態によるＷＦＤ  ＩＥを示す図面である。
【００５１】
ここで、ＷＦＤとは、通信方式であって、ディスプレイデバイス間のワイファイダイレクト規格に基づいて通信する方式を意味する。
【００５２】
ＷＦＤ  ＩＥは、デバイスのタイプ及び状態のような基本的な情報を受信するフレームのフォーマットを表す。プローブ要請フレームまたはプローブ応答フレームも、ＷＦＤ  ＩＥのフォーマットによって作成される。
【００５３】
図示した例において、ＷＦＤ  ＩＥは、Ｅｌｅｍｅｎｔ  ＩＤ、Ｌｅｎｇｔｈ、ＯＵＩ、ＯＵＩ  Ｔｙｐｅ及びＷＦＤ  Ｓｕｂｅｌｅｍｅｎｔｓを含む。Ｅｌｅｍｅｎｔ  ＩＤ、Ｌｅｎｇｔｈ、ＯＵＩ及びＯＵＩ  Ｔｙｐｅフィールドそれぞれの大きさは、１、１、３及び１オクテットであり、ＷＦＤ  Ｓｕｂｅｌｅｍｅｎｔｓフィールドの大きさは、可変的である。
【００５４】
本実施形態のＥｌｅｍｅｎｔ  ＩＤフィールドは、製造社がＩＥＥＥ  ８０２．１１標準で定義していない機能を作ることを所望する時に使用するフィールドであり、Ｌｅｎｇｔｈフィールドの場合、ＷＦＤ  ＩＥの全長を表す。
【００５５】
本実施形態のＯＵＩフィールドは、Organization  Unique  Identifierの略字であって、各製造社を区分するために定義した固有の識別子に該当する。図５のＯＵＩの値で記載された００  ５０  Ｆ２は、ＯＵＩフィールドに記載されるデータ形式の一実施例である。
【００５６】
ＯＵＩ  Ｔｙｐｅフィールドは、ＷＦＤ  ＩＥのバージョンを表す。
【００５７】
本実施形態のＷＦＤ  Ｓｕｂｅｌｅｍｅｎｔフィールドは、単純にＷＦＤ  ＩＥに記載される内容のみでは不足しているので、詳細なデバイス情報を表す内容が含まれ、ＷＦＤ  Ｓｕｂｅｌｅｍｅｎｔに含まれる内容は、図６で詳細に説明する。
【００５８】
本発明のＷＦＤ  ＩＥのうち一部は、具現によって省略してもよい。
【００５９】
図６は、本発明の一実施形態によるＷＦＤサブエレメントの一般的なフォーマットを示す図面である。
【００６０】
図示した例において、ＷＦＤ  Ｓｕｂｅｌｅｍｅｎｔは、Ｓｕｂｅｌｅｍｅｎｔ  ＩＤ、Ｌｅｎｇｔｈ及びＳｕｂｅｌｅｍｅｎｔｓ  ｂｏｄｙ  ｆｉｅｌｄを含む。Ｓｕｂｅｌｅｍｅｎｔ  ＩＤ及びＬｅｎｇｔｈフィールドの大きさは、それぞれ１オクテットであり、Ｓｕｂｅｌｅｍｅｎｔｓ  ｂｏｄｙ  ｆｉｅｌｄフィールドの大きさは、可変的である。
【００６１】
本実施形態のＳｕｂｅｌｅｍｅｎｔ  ＩＤは、ＷＦＤ  Ｓｕｂｅｌｅｍｅｎｔのタイプを表示する。これは、図７で詳細に説明する。本実施形態のＬｅｎｇｔｈフィールドは、ＷＦＤ  Ｓｕｂｅｌｅｍｅｎｔの全長を表す。
【００６２】
本実施形態のＳｕｂｅｌｅｍｅｎｔｓ  ｂｏｄｙ  ｆｉｅｌｄフィールドは、Ｓｕｂｅｌｅｍｅｎｔの具体的な内容について表示する。
【００６３】
本発明のＷＦＤサブエレメントのうち一部は、具現によって省略してもよい。
【００６４】
図７は、本発明の一実施形態によるＷＦＤサブエレメントＩＤを説明するための図面である。
【００６５】
本実施形態のＷＦＤ  Ｄｅｖｉｃｅ  Ｉｎｆｏｒｍａｔｉｏｎは、ＷＦＤデバイスについての情報を意味する。本発明において、連結設定の前に獲得するデバイスのコンテンツ保護性能は、ＷＦＤ  Ｄｅｖｉｃｅ  ＩｎｆｏｒｍａｔｉｏｎタイプのＷＦＤ  Ｓｕｂｅｌｅｍｅｎｔ内に記載される。詳細な内容は図８で説明する。
【００６６】
本実施形態のＳｔａｔｕｓは、デバイスの状態情報を表す。
【００６７】
本実施形態のＡｓｓｏｃｉａｔｅｄ  ＢＳＳＩＤは、８０２．１１での基本サービス領域を識別する識別子を表す。
【００６８】
本実施形態のＤｉｓｐｌａｙ  ＥＤＩＤは、デバイスのディスプレイ情報を伝達するためのデータの形式を表す。
【００６９】
本実施形態のＣｏｕｐｌｅｄ  Ｓｉｎｋ  Ｉｎｆｏｒｍａｔｉｏｎは、他のデバイスと連結されているか否かについて表す。
【００７０】
本実施形態のＨ．２６４  Ｃｏｄｅｃ、ＬＰＣＭ  Ｃｏｄｅｃ、ＡＡＣ  Ｃｏｄｅｃ、Ｄｏｌｂｙ  Ｄｉｇｉｔａｌ  Ｃｏｄｅｃ及びＤＴＳ  Ｃｏｄｅｃは、コーデックについての情報を表し、各コーデックについての詳細な説明は省略する。
【００７１】
本実施形態のＴｒａｎｓｐｏｒｔ  Ｃａｐａｂｉｌｉｔｙ、３Ｄ  Ｖｉｄｅｏ  Ｃａｐａｂｉｌｉｔｙ、Ｌｏｃａｌ  ＩＰ  Ａｄｄｒｅｓｓ及びＣｏｎｔｒｏｌ  Ｓｉｇｎａｌｉｎｇ  Ｃａｐａｂｉｌｉｔｉｅｓは、デバイスの性能及びアドレスについて表す。
【００７２】
望ましくは、サブエレメントＩＤにＣｏｎｔｅｎｔ  Ｐｒｏｔｅｃｔｉｏｎ  Ｃａｐａｂｉｌｉｔｙを追加して、コンテンツ保護性能に係る情報を含む。サブエレメントＩＤのうち一部は、具現によって省略してもよい。
【００７３】
図８は、本発明の一実施形態によるＷＦＤデバイス情報サブエレメントを説明するための図面である。
【００７４】
図７のＳｕｂｅｌｅｍｅｎｔ  ＩＤフィールドが１である場合、ＷＦＤデバイス情報に係るサブエレメントが含まれる。この場合、ＷＦＤデバイス情報に、デバイス情報に係る内容をビットマップ形式で表示する。詳細な内容は図８で説明する。
【００７５】
ＷＦＤ  Ｄｅｖｉｃｅ  Ｍａｘｉｍｕｍ  Ｔｈｒｏｕｇｈｐｕｔは、デバイスの最大平均処理量について表示する。
【００７６】
図９は、本発明の一実施形態によるＷＦＤデバイス情報フィールドを説明するための図面である。本実施形態のＷＦＤデバイス情報フィールドは、ビットマップ形式で記載される。
【００７７】
本実施形態の最初及び二番目のビットの場合（ビット０、１）、ＷＦＤソース、ＷＦＤシンク、主なシンクデバイスまたは補助シンクデバイスであるかを表示する。
【００７８】
本実施形態の三番目のビット（ビット２）は、補助シンク動作を支援するか否かを表示する。
【００７９】
本実施形態の四番目及び五番目のビット（ビット３、４）は、現在のデバイスのペアリング状態及びペアリングが可能であるかについて表示する。
【００８０】
本実施形態の六番目のビット（ビット５）は、ＷＦＤサービスディスカバリー手順を支援するか否かを表示する。
【００８１】
本実施形態の七番目のビット（ビット６）は、デバイスの連結方式について表示する。すなわち、デバイスがワイファイダイレクト方式、すなわち、Ｐ２Ｐ方式を支援するか、トンネルダイレクトリンク設定(Tunneled  Direct  Link  Setup:  TDLS)方式を支援するかについて表示する。ＴＤＬＳ方式は、ワイファイダイレクト方式ではないＡＰを通じて通信する無線通信の方式である。
【００８２】
本実施形態の八番目のビット（ビット７）は、デバイスのコンテンツ保護性能に係る情報を表示する。前記図７で説明したように、サブエレメントＩＤに、コンテンツ保護性能について定義し、それを表示する内容を追加し、図９のように、Ｄｅｖｉｃｅ  Ｉｎｆｏｒｍａｔｉｏｎサブエレメント内に、デバイスのコンテンツ保護性能に係る情報を表示する。
【００８３】
本実施形態のコンテンツ保護性能は、ＨＤＣＰ  ２．０を支援するか否かを表す情報である。
【００８４】
図１０は、本発明の一実施形態によるＷＦＤ通信方式の信号のフローチャートである。
【００８５】
ソースデバイス１０１２とシンクデバイス１０１３のデバイスディスカバリー手順１００１で、プローブ要請メッセージ１００２とプローブ応答メッセージ１００３とが交換される。プローブ要請メッセージ１００２及びプローブ応答メッセージ１００３には、デバイスのコンテンツ保護性能に係る情報が含まれるので、ソースデバイス１０１２とシンクデバイス１０１３との間に、コンテンツ保護性能に係る情報が交換される。
【００８６】
サービスディスカバリー手順１００４は、選択的であり、図９で説明したように、デバイスがコンテンツ保護性能を支援するか否かによって、手順が行われるか否かが決定される。サービスディスカバリー手順１００４が行われる場合には、コンテンツ保護性能に係る情報がサービスディスカバリー手順１００４で交換される。
【００８７】
デバイスのコンテンツ保護性能に係る情報が、連結設定手順１００５の前に交換され、各デバイスのユーザ１０１１，１０１４に、デバイスのコンテンツ保護性能に係る情報が表示される。表示されたデバイスのコンテンツ保護性能に係る情報を見て、ユーザは、いかなるデバイスと連結設定手順を行うかを選択する。もちろん、図２で説明したように、デバイスに設定された優先順位によって自動的に連結されてもよい。
【００８８】
コンテンツ保護性能に係る情報が交換された後、ユーザの入力によって選択されたデバイスと連結設定手順１００５が行われ、その後、性能交渉手順１００６が行われる。性能交渉手順１００６では、通常のワイファイダイレクト通信方式と同様に、どのデバイスがＡＰの役割を行い、どのデバイスがステーションの役割を行うかについて決定する。連結設定手順の前に、コンテンツ保護性能に係る情報を交換することが、ディスプレイデバイス間のワイファイダイレクト通信方式で通信する時に都合を最小化できるが、性能交渉手順で、コンテンツ保護性能に係る情報を交換するように設定することも可能である。
【００８９】
以上、本発明の望ましい実施形態を詳細に説明したが、本発明の範囲は、これに限定されず、多様な変形及び均等な他の実施形態が可能である。したがって、本発明の真の技術的保護範囲は、特許請求の範囲により決まらなければならない。
【００９０】
また、本発明によるシステムは、コンピュータで読み取り可能な記録媒体に、コンピュータで読み取り可能なコードとして具現することが可能である。コンピュータで読み取り可能な記録媒体は、コンピュータシステムにより読み取られるデータが保存される全ての種類の記録装置を含む。前記コンピュータで読み取り可能な記録媒体は、磁気記録媒体（例えば、ＲＯＭ(Read  Only  Memory)、フロッピー（登録商標）ディスク、ハードディスクなど）、光学的読み取り媒体（例えば、ＣＤ−ＲＯＭ、ＤＶＤなど）及びキャリアウェーブ（例えば、インターネットを通じた伝送）のような記録媒体を含む。また、コンピュータで読み取り可能な記録媒体は、ネットワークで連結されたコンピュータシステムに分散されて、分散方式でコンピュータで読み取り可能なコードが保存されて実行される。
【図１】
2014505408.tif 000003
【図２】
2014505408.tif 000004
【図３】
2014505408.tif 000005
【図４】
2014505408.tif 000006
【図５】
2014505408.tif 000007
【図６】
2014505408.tif 000008
【図７】
2014505408.tif 000009
【図８】
2014505408.tif 000010
【図９】
2014505408.tif 000011
【図１０】
2014505408.tif 000012
【国際調査報告】
2014505408.tif 000013
2014505408.tif 000014
2014505408.tif 000015
2014505408.tif 000016